(57)【要約】【課題】公衆網を経由するファクシミリ通信と、ＩＰ網を経由するファクシミリ通信とを行う通信装置のための変復調装置において、ハンドセットを用いてＩＰ網を経由する通話を行うことを可能にする。【解決手段】通話制御装置４３は、ハンドセット４２からのアナログ音声信号をデジタル音声データに変換して出力する一方、入力されるデジタル音声データをアナログ音声信号に変換してハンドセット４２に出力する。ファクシミリモデム３０は、ＬＡＮを介して受信された通話のデジタル音声データを、コーデックインタフェース回路３７と、通話制御装置４３とを介してハンドセット４２に出力する一方、ハンドセット４２から通話制御装置４３と、コーデックインタフェース回路３７とを介して入力されたデジタル音声データをＬＡＮに出力する。【選択図】図１
2013197799.tif 000002
【特許請求の範囲】
【請求項１】
公衆網制御装置に接続され、アナログみなし音声信号であるアナログファクシミリ信号を公衆網との間で送受信し、受信されたアナログファクシミリ信号をデジタル画像データに復調する一方、送信するデジタル画像データをアナログファクシミリ信号に変調する変復調部と、
ＩＰ網を介して受信されたデジタルファクシミリデータをアナログファクシミリ信号に復号化して上記変復調部に出力する一方、アナログファクシミリ信号をデジタルみなし音声データであるデジタルファクシミリデータに符号化して上記ＩＰ網を介して出力するコーデック部とを備えた変復調装置において、
上記変復調装置は、ハンドセットからのアナログ音声信号をデジタル音声データに変換して出力する一方、入力されるデジタル音声データをアナログ音声信号に変換して上記ハンドセットに出力する通話制御装置に接続され、
上記通話制御装置からのデジタル音声データを上記ＩＰ網に出力する一方、上記ＩＰ網からのデジタル音声データを上記通話制御装置に出力するように制御する制御手段を備えたことを特徴とする変復調装置。
【請求項２】
上記通話制御装置は、上記変復調装置に対して着脱可能に接続されたことを特徴とする請求項１記載の変復調装置。
【請求項３】
上記公衆網制御装置は、上記変復調装置に対して着脱可能に接続されたことを特徴とする請求項１又は２記載の変復調装置。
【請求項４】
請求項１乃至３のうちのいずれか１つに記載の変復調装置と、
上記公衆網制御装置と、
上記通話制御装置とを備えたことを特徴とする通信装置。
【発明の詳細な説明】
【技術分野】
【０００１】
本発明は、公衆網を経由するファクシミリ通信と、ＩＰ（Internet Protocol）網を経由するファクシミリ通信とを行う通信装置のための変復調装置、及び当該変復調装置を備えた通信装置に関する。
【背景技術】
【０００２】
特許文献１には、ＩＴＵ（International Telecommunication Union：国際電気通信連合）−Ｔ勧告Ｔ．３８標準準拠のネットワークファクシミリ装置において、非ＥＣＭモードで通信する際にトランスポートの種類によりパケットサイズを異ならせて送信することが記載されている。特許文献１に記載されているように、従来は、ＩＰ網に接続するファクシミリ装置としては、勧告Ｔ．３８標準に準拠したメールベースでデジタル的にファクシミリデータを送受信するネットワークファクシミリ装置と、従来の公衆網に接続され、ＶｏＩＰ（Voice over Internet Protocol）ゲートウエイ装置を介してＩＰ網に接続されるＧ３ファクシミリ装置とがあった。
【０００３】
また、特許文献２には、Ｇ３ファクシミリ装置用の従来の変復調装置に、ＩＰ網との間で送受信されるデジタルファクシミリデータ（デジタルみなし音声データ）と、公衆網との間で送受信されるアナログファクシミリ信号との間の相互変換機能を付加した変復調装置が開示されている。特許文献２に記載の変復調装置によれば、上述したＶｏＩＰゲートウエイ装置なしに、公衆網を経由するファクシミリ通信と、ＩＰ網を経由するＶｏＩＰファクシミリ通信とを行うことができる。
【発明の概要】
【発明が解決しようとする課題】
【０００４】
現在、公衆網を利用するＧ３ファクシミリ装置が最も普及しているが、一般に、Ｇ３ファクシミリ装置には、ファクシミリの送信及び受信だけでなく通話も可能なように、ハンドセットが設けられる。しかしながら、特許文献２記載の変復調装置はＩＰ網を介して通話する機能は持っていないため、当該変復調装置にハンドセットを接続することができず、ハンドセットを接続するためのＶｏＩＰゲートウエイ装置などを別途設ける必要があった。
【０００５】
本発明の目的は以上の問題点を解決し、公衆網を経由するファクシミリ通信と、ＩＰ網を経由するファクシミリ通信とを行う通信装置のための変復調装置において、さらにハンドセットを用いてＩＰ網を経由する通話を行うことができる変復調装置及び当該変復調装置を備えた通信装置を提供することにある。
【課題を解決するための手段】
【０００６】
本発明に係る変復調装置は、公衆網制御装置に接続され、アナログみなし音声信号であるアナログファクシミリ信号を公衆網との間で送受信し、受信されたアナログファクシミリ信号をデジタル画像データに復調する一方、送信するデジタル画像データをアナログファクシミリ信号に変調する変復調部と、
ＩＰ網を介して受信されたデジタルファクシミリデータをアナログファクシミリ信号に復号化して上記変復調部に出力する一方、アナログファクシミリ信号をデジタルみなし音声データであるデジタルファクシミリデータに符号化して上記ＩＰ網を介して出力するコーデック部とを備えた変復調装置において、
上記変復調装置は、ハンドセットからのアナログ音声信号をデジタル音声データに変換して出力する一方、入力されるデジタル音声データをアナログ音声信号に変換して上記ハンドセットに出力する通話制御装置に接続され、
上記通話制御装置からのデジタル音声データを上記ＩＰ網に出力する一方、上記ＩＰ網からのデジタル音声データを上記通話制御装置に出力するように制御する制御手段を備えたことを特徴とする。
【発明の効果】
【０００７】
本発明に係る変復調装置によれば、ハンドセットからのアナログ音声信号をデジタル音声データに変換して出力する一方、入力されるデジタル音声データをアナログ音声信号に変換してハンドセットに出力する通話制御装置に接続され、通話制御装置からのデジタル音声データをＩＰ網に出力する一方、ＩＰ網からのデジタル音声データを通話制御装置に出力するように制御する制御手段を備えたので、公衆網を経由するファクシミリ通信と、ＩＰ網を経由するファクシミリ通信とを行う通信装置のための変復調装置において、さらにハンドセットを用いてＩＰ網を経由する通話を行うことができる。
【図面の簡単な説明】
【０００８】
【図１】本発明の実施形態に係るファクシミリ装置１０の構成を示すブロック図である。
【図２】図１のファクシミリ装置１０によって実行されるファクシミリ通信におけるデータ及び信号の流れを示すブロック図である。
【図３】図１のファクシミリ装置１０によって実行される通話処理におけるデータ及び信号の流れを示すブロック図である。
【発明を実施するための形態】
【０００９】
以下、本発明に係る実施形態について図面を参照して説明する。なお、以下の各実施形態において、同様の構成要素については同一の符号を付している。
【００１０】
図１は、本発明の実施形態に係るファクシミリ装置１０の構成を示すブロック図である。図１において、ファクシミリ装置１０は、ホストＣＰＵ（Central Processing Unit）１と、ＲＯＭ（Read Only Memory）２と、ＲＡＭ（Random Access Memory）３と、操作部４と、読取スキャナ５と、印刷部６と、ＬＡＮ（Local Area Network）インタフェース回路７と、ファクシミリモデム３０と、ＤＡＡ（Data Access Arrangement）ユニット２０と、通話制御装置４３と、電話機（ハンドセット）４２とを備えて構成される。また、ファクシミリモデム３０は、ハンドシェイク用ＲＡＭ３１及び３４と、ＤＳＰ（Digital Signal Processor）３２と、ＤＳＰ用ＲＡＭ３５と、ＤＳＰ用ＲＯＭ３６と、ＤＡＡインタフェース回路３３と、コーデックインタフェース回路３７とを備えて構成される。さらに、ＤＳＰ３２は、制御部５１と、変復調部５２と、コーデック部５３とを備えて構成される。さらに、通話制御装置４３は、コーデック回路４０と、加入者ループインタフェース回路（Subscriber Loop Interface Circuit；以下、ＳＬＩＣという。）４１とを備えて構成される。
【００１１】
詳細後述するように、本実施形態に係るファクシミリモデム３０は、ＤＡＡユニット２０に接続され、アナログみなし音声信号であるアナログファクシミリ信号を公衆網との間で送受信し、受信されたアナログファクシミリ信号をデジタル画像データに復調する一方、送信するデジタル画像データをアナログファクシミリ信号に変調する変復調部５２と、
ＩＰ網を介して受信されたデジタルファクシミリデータをアナログファクシミリ信号に復号化して変復調部５２に出力する一方、アナログファクシミリ信号をデジタルみなし音声データであるデジタルファクシミリデータに符号化してＩＰ網を介して出力するコーデック部５３とを備える。ここで、ファクシミリモデム３０は、ハンドセット４２からのアナログ音声信号をデジタル音声データに変換して出力する一方、入力されるデジタル音声データをアナログ音声信号に変換してハンドセット４２に出力する通話制御装置４３に接続され、通話制御装置４３からのデジタル音声データをＩＰ網に出力する一方、ＩＰ網からのデジタル音声データを通話制御装置４３に出力するように制御する制御部５１を備えたことを特徴としている。
【００１２】
ここで、ホストＣＰＵ１は、バスを介してＲＯＭ２、ＲＡＭ３，操作部４、読取スキャナ５、印刷部６、ＬＡＮインタフェース回路７及びファクシミリモデム３０と接続されていてそれらを制御するほか、種々のソフトウェアの機能を実行する。ＲＯＭ２は、ファクシミリ装置１０の動作に必要であってホストＣＰＵ１によって実行される種々のソフトウェアのプログラムを予め格納する。また、ＲＡＭ３は、ＳＲＡＭ（Static RAM）、ＤＲＡＭ（Dynamic RAM）、ＳＤＲＡＭ（Synchronous DRAM）などで構成され、ホストＣＰＵ１のワーキングエリアとして使用されてプログラムの実行時に発生する一時的なデータ及びプログラムを実行するための変数データを記憶する。さらに、操作部４は、例えば、タッチパネル又はキースイッチであって、ファクシミリの送信先の電話番号又はファクシミリ装置１０を動作させるための指示コマンドなどを入力する。読取スキャナ５は、原稿を読み取ってファクシミリ送信用のデジタル画像データを生成する。またさらに、印刷部６は例えばプリンタ装置であって、ファクシミリ受信されたデジタル画像データを転写紙などの記録媒体に印刷する。
【００１３】
ＬＡＮインタフェース回路７はＬＡＮに接続され、ＩＰ網からＬＡＮを介して、デジタルみなし音声データであるデジタルファクシミリデータ及びデジタル音声データをＶｏＩＰ受信データとして受信する一方、ＬＡＮに対して、デジタルファクシミリデータ及びデジタル音声データをＶｏＩＰ送信データとして送信することにより信号変換及びプロトコル変換などのＬＡＮ通信に係るインタフェース処理を実行する。ファクシミリ装置１０は、ＬＡＮインタフェース回路７及びＩＰ網を介して外部機器との間でＶｏＩＰファクシミリ通信を行う。
【００１４】
ファクシミリモデム３０は変復調装置であって、読取スキャナ５からのデジタル画像データをアナログみなし音声信号であるアナログファクシミリ信号に変調してＤＡＡユニット２０に出力し、変調後のアナログファクシミリ信号を、さらにＬＡＮインタフェース回路７に出力するためのデジタルファクシミリデータ（デジタルみなし音声データ）に符号化する。また、ファクシミリモデム３０は、ＬＡＮインタフェース回路７からのデジタルファクシミリデータをアナログファクシミリ信号に復号化し、復号化したアナログファクシミリ信号及びＤＡＡユニット２０からのアナログファクシミリ信号を印刷部６に出力するためのデジタル画像データに復調する。なお、ファクシミリモデム３０の構成及び動作は、詳細後述する。
【００１５】
図１において、ＤＡＡユニット２０は、例えば公衆交換電話網などの公衆網に接続された公衆網制御装置であって、当該公衆網を介して外部機器との間でＧ３ファクシミリ通信を行う。具体的には、ＤＡＡユニット２０は、読取スキャナ５からのデジタル画像データに基づいてファクシミリモデム３０により生成されるアナログファクシミリ信号をＤＡＡインタフェース回路３３から受信して、公衆網を介してファクシミリ送信する一方、公衆網を介して受信されたアナログファクシミリ信号をＤＡＡインタフェース回路３３に出力する。ＤＡＡユニット２０は、例えばシリコンＤＡＡ又はトランスやコイルなどのディスクリートＤＡＡなどにより実現できる。また、ＤＡＡユニット２０は、ファクシミリ装置１０のＤＡＡインタフェース回路３３に対して着脱可能に接続される。
【００１６】
また、コーデック回路４０は、コーデックインタフェース回路３７からのデジタル音声データをアナログ音声信号にＤＡ変換してＳＬＩＣ４１に出力する一方、ＳＬＩＣ４１からのアナログ音声信号をデジタル音声データにＡＤ変換してコーデックインタフェース回路３７に出力する。ＳＬＩＣ４１は、ハンドセット４２とコーデック回路４０との間のインタフェース処理を行う。なお。ＳＬＩＣ４１として、ＳＬＩＣ機能を有する市販のデバイスを用いることができる。また、コーデック回路４０と、ＳＬＩＣ４１と、ハンドセット４２とは、ファクシミリ装置１０のコーデックインタフェース回路３７に対して着脱可能に接続される。
【００１７】
図１のファクシミリモデム３０において、ハンドシェイク用ＲＡＭ３１は、読取スキャナ５からのデジタル画像データ及びＤＳＰ３２からのファクシミリ通信のための通信制御情報を一時的に記憶する。ハンドシェイク用ＲＡＭ３１は、ホストＣＰＵ１とＤＳＰ３２との間でデジタル画像データのハンドシェイクを行うために用いられる。ホストＣＰＵ１は、ハンドシェイク用ＲＡＭ３１を介してＤＳＰ３２への動作指示及び動作パラメータの設定を行う。一方、ＤＳＰ３２は、ホストＣＰＵ１に対するステータス情報などを、ハンドシェイク用ＲＡＭ３１を介してホストＣＰＵ１との間で送受信する。
【００１８】
また、ハンドシェイク用ＲＡＭ３４は、ＬＡＮインタフェース回路７及びＤＳＰ３２からのデジタルファクシミリデータを一時的に記憶する。ハンドシェイク用ＲＡＭ３４は、ホストＣＰＵ１とＤＳＰ３２との間でデジタルファクシミリデータのハンドシェイクを行うために用いられる。
【００１９】
ＤＡＡインタフェース回路３３は、所定の信号変換処理を行うことにより、ＤＡＡユニット２０とＤＳＰ３２の変復調部５２との間のインタフェース処理を行う。一般に、ファクシミリモデム３０とＤＡＡユニット２０との間で送受信される信号のインタフェース処理は、シリアルデータの形式で行われる。ＤＡＡインタフェース回路３３は、シリアル／パラレルのデータ変換回路に加えて、リンギング検出機能及びダイヤルパルス発生機能などのデータ以外の通信制御情報を送受信するためのインタフェース機能も持っている。また、コーデックインタフェース回路３７は、所定の信号変換処理を行うことにより、コーデック回路４０とＤＳＰ３２との間のインタフェース処理を行う。さらに、ＤＳＰ用ＲＯＭ３６は、ＤＳＰ３２の制御部５１によって実行される種々のソフトウェアのプログラムを予め格納する。また、ＤＳＰ用ＲＡＭ３５は、制御部５１のワーキングエリアとして使用されてプログラムの実行時に発生する一時的なデータ及びプログラムを実行するための変数データを記憶する。
【００２０】
ＤＳＰ３２において、制御部５１はファクシミリモデム３０全体の動作を制御する。また、変復調部５２は、制御部５１の制御の下で、デジタル画像データをアナログファクシミリ信号（以下、モデム変調信号ともいう。）に変調する一方、アナログファクシミリ信号をデジタル画像データに復調する。さらに、コーデック部５３は、制御部５１の制御の下で、アナログファクシミリ信号をデジタルファクシミリデータに符号化する一方、デジタルファクシミリデータをアナログファクシミリ信号に復号化する。
【００２１】
次に、以上説明したように構成されたファクシミリ装置１０の動作を説明する。図２は、図１のファクシミリ装置１０によって実行されるファクシミリ通信におけるデータ及び信号の流れを示すブロック図であり、図３は、図１のファクシミリ装置１０によって実行される通話処理におけるデータ及び信号の流れを示すブロック図である。図２及び図３において、スイッチＳＷ１は、図１のコーデック部５３からの音声符号化処理後のデジタルファクシミリデータ又はコーデック回路４０からのデジタルファクシミリデータに切り換えてハンドシェイク用ＲＡＭ３４に出力する切換処理を表す。また、スイッチＳＷ２は、図１のＤＡＡユニット２０からのアナログファクシミリ信号又はコーデック部５３からの音声復号化処理後のアナログファクシミリ信号に切り換え、復調処理のために変復調部５２に出力する切換処理を表す。スイッチＳＷ１及びＳＷ２で表される切換処理は、ホストＣＰＵ１からの動作指令に基づいて、ＤＳＰ３２がＤＳＰ用ＲＯＭ３６に格納されたプログラムを実行することにより実現される。さらに、図２及び図３において、ファクシミリ通信デジタル受信データ及びファクシミリ通信デジタル送信データは、デジタル画像データ及び通信制御情報を含む。
【００２２】
（１）Ｇ３ファクシミリ送信処理．
図２において、まず始めに、ホストＣＰＵ１は、読取スキャナ５からのデジタル画像データを、ファクシミリ通信デジタル送信データとしてハンドシェイク用ＲＡＭ３１に書き込む。次に、変復調部５２は、ハンドシェイク用ＲＡＭ３１に書き込まれたファクシミリ通信デジタル送信データを送信用のアナログファクシミリ信号に変調して、変調した送信用のアナログファクシミリ信号をＤＡＡユニット２０に出力する。そして、ＤＡＡユニット２０は、入力される送信用のアナログファクシミリ信号を、公衆網を介してＧ３ファクシミリ送信する。
【００２３】
（２）Ｇ３ファクシミリ受信処理．
図２において、まず始めに、ＤＡＡユニット２０は、アナログファクシミリ信号のＧ３ファクシミリ受信を行い、受信したアナログファクシミリ信号をＤＡＡインタフェース回路３３に出力する。そして、ＤＡＡインタフェース回路３３は、ＤＡＡユニット２０から入力されたアナログファクシミリ信号を変復調部５２に出力する。次に、変復調部４２は、ＤＡＡインタフェース回路３３からの受信用されたアナログファクシミリ信号をデジタル画像データに復調して、ハンドシェイク用ＲＡＭ３１に書き込む。続いて、ホストＣＰＵ１は、ハンドシェイク用ＲＡＭ３１に書き込まれたデジタル画像データを、ファクシミリ通信デジタル受信データとして読み出し、印刷部６に出力して転写紙に印刷する。
【００２４】
（３）ＶｏＩＰファクシミリ送信処理．
図２において、まず始めに、ホストＣＰＵ１は、読取スキャナ５からのデジタル画像データを、ファクシミリ通信デジタル送信データとしてハンドシェイク用ＲＡＭ３１に書き込む。次に、変復調部５２は、ハンドシェイク用ＲＡＭ３１に書き込まれたファクシミリ通信デジタル送信データを送信用のアナログファクシミリ信号に変調して、コーデック部５３に出力する。さらに、コーデック部５３は、変復調部５２により変調された送信用のアナログファクシミリ信号を送信用のデジタルファクシミリデータに符号化し、ハンドシェイク用ＲＡＭ３４に書き込む。続いて、ホストＣＰＵ１は、ハンドシェイク用ＲＡＭ３４に書き込まれた送信用のデジタルファクシミリデータをＶｏＩＰ送信データとして読み出して、ＬＡＮインタフェース回路７を介してＶｏＩＰファクシミリ送信する。
【００２５】
（４）ＶｏＩＰファクシミリ受信処理．
まず始めに、ＬＡＮインタフェース回路７は、デジタルファクシミリデータであるＶｏＩＰ受信データのＶｏＩＰファクシミリ受信を行い、ハンドシェイク用ＲＡＭ３４に書き込む。次に、コーデック部５３は、ハンドシェイク用ＲＡＭ３４に書きまれたＶｏＩＰ受信データをアナログファクシミリ信号に復号化する。続いて、変復調部５２は、コーデック部５３により復号化されたアナログファクシミリ信号をデジタル画像データに復調し、ハンドシェイク用ＲＡＭ３１に書き込む。最後に、ホストＣＰＵ１は、ハンドシェイク用ＲＡＭ３１に書き込まれたデジタル画像データを、ファクシミリ通信デジタル受信データとして読み出し、印刷部６に出力して転写紙に印刷する。
【００２６】
（５）ハンドセット４２を用いる通話処理
図３において、ハンドセット４２からのアナログ音声信号は、ＳＬＩＣ４１を介してコーデック回路４０に出力される。コーデック回路４０は、ＳＬＩＣ４１からのアナログ音声信号をデジタル音声データに変換して、コーデックインタフェース回路３７に出力する。そして、コーデックインタフェース回路３７は、コーデック回路４０からのデジタル音声データに対して所定の信号変換処理を行って、ハンドシェイク用ＲＡＭ３１に書き込む。さらに、ホストＣＰＵ１は、ハンドシェイク用ＲＡＭ３１に書き込まれたデジタル音声データを、ＶｏＩＰ送信データとして読み出して、ＬＡＮインタフェース回路７を介してＬＡＮに出力する。
【００２７】
また、図３において、ホストＣＰＵ１は、ＬＡＮからＬＡＮインタフェース回路７を介して受信されたデジタル音声データを、ＶｏＩＰ受信データとしてハンドシェイク用ＲＡＭ３４に書き込む。そして、コーデックインタフェース回路３７は、ハンドシェイク用ＲＡＭ３４に書き込まれたＶｏＩＰ受信データに対して所定の信号変換処理を粉って、コーデック回路４０に出力する。さらに、コーデック回路４０は入力されるＶｏＩＰ受信データをアナログ音声信号に変換し、ＳＬＩＣ４１を介してハンドセット４２に出力する。
【００２８】
以上説明したように、ＤＳＰ３２は、デジタル画像データとＤＡＡユニット２０に入出力されるアナログファクシミリ信号（モデム変調信号）とを相互に変換するための変復調部５２を備える。ここで、変復調部５２は、従来技術に係る公衆回線用モデムの変復調部と同様に構成される。さらに、ＤＳＰ３２は、ＩＰ網を介してデジタルのファクシミリ情報を送受信するためのモデム変復調信号と、デジタルファクシミリデータとを相互に変換するコーデック部５３を備える。ここで、デジタルファクシミリデータはＬＡＮなどのネットワーク上で送受信されるデジタルみなし音声データであり、アナログファクシミリ信号を１／８０００秒ごとに８ｂｉｔの分解能でサンプリングしたＰＣＭ（Pulse Code Modulation）データである。
【００２９】
図１において、ＬＡＮを経由したＧ３ファクシミリ通信では、アナログファクシミリ信号はＬＡＮインタフェース回路７を介してＬＡＮに接続された２つのファクシミリ装置１０間で行われる。ファクシミリを送信する場合は、ファクシミリ装置１０はＬＡＮ上に発呼し、送信先のファクシミリ装置が応答したことを確認する。その後、変復調部５２は、ホストＣＰＵ１の制御の下で、モデム変調信号（アナログファクシミリ信号である。）としてコーリングトーンを生成する。さらに、コーデック部４０はコーリングトーンのモデム変調信号をデジタル音声データに変換して、ハンドシェイク用ＲＡＭ３４と、ＬＡＮインタフェース回路７と、ＬＡＮとを介して送信先のファクシミリ装置に送信する。また、読取スキャナ５からのファクシミリ通信デジタル送信データは、ハンドシェイク用ＲＡＭ３１を介して変復調部５２に出力され、変復調部５２によりモデム変調信号に変換される。そして、モデム変調信号はコーデック部５３によりデジタルみなし音声データに変換されてＬＡＮ上に送出される。送信先のファクシミリ装置からの応答信号などは、ＶｏＩＰ受信データとしてハンドシェイク用ＲＡＭ３４を介してコーデック部５３に出力され、モデム復調信号に変換される。さらに、変復調部５２はモデム復調信号を応答情報に変換し、ハンドシェイク用ＲＡＭ３１を介してホストＣＰＵ１に出力する。
【００３０】
ファクシミリをＬＡＮ経由で受信する場合は、ＬＡＮからファクシミリ装置１０のＬＡＮインタフェース回路７に着信する。これに応答して、ホストＣＰＵ１は、変復調部５２を、モデム変調信号としてアンサートーンを生成するように制御する。コーデック部５３はアンサートーンであるモデム変調信号をデジタル音声データに変換し、ハンドシェイク用ＲＡＭ３４経由でＬＡＮ上に送信する。ホストＣＰＵ１は、ＬＡＮを介して受信された画像データを含むデジタルみなし音声データを、ハンドシェイク用ＲＡＭ３４を介してコーデック部５３に出力する。そして、コーデック部５３はデジタルみなし音声データをモデム変調信号に変換し、コーデック部５３はモデム変調信号をデジタル画像データに変換して、ハンドシェイク用ＲＡＭ３１に書き込む。ホストＣＰＵ１は、ハンドシェイク用ＲＡＭ３１に書き込まれた画像データを読み出す。
【００３１】
次に、通話処理時の図１のファクシミリ装置１０の動作を、発呼時及び着呼時に分けて説明する。発呼時は、ハンドセット４２の受話器を上げた際にダイヤルトーンをハンドセット４２から聞こえるようにする必要がある。また、ハンドセット４２からダイヤルされた際に発生するＤＴＭＦ（Dual-Tone Multi-Frequency）信号を検出し、ネットワーク上に相手先ダイヤル番号を送信する必要がある。さらに、ダイヤル後に相手先の状況に応じて話中音又は呼び出し音をハンドセット４２に出力する必要がある。変復調部５２は、ハンドセット４２に対するダイヤルトーン、話中音、及び呼び出し音をモデム信号として生成する。モデム信号はデジタル音声データに変換され、コーデック回路４０を介してハンドセット４２に出力される。
【００３２】
また、コーデック回路４０は、ハンドセット４２からのダイヤル信号に対応するＤＴＭＦ信号をデジタル音声データと同じフォーマットで生成して、変復調部５２に出力する。そして、変復調部５２は、ＤＴＦＭ信号に対応するデジタル音声データをモデム用の信号に変換する。さらに、変復調部５２は、入力されたデジタル音声データが所定のＤＴＭＦ信号に対応することを認識して、ハンドシェイク用ＲＡＭ３１を介してホストＣＰＵ１に通知する。これにより、ハンドセット４２のダイヤル情報をＬＡＮ上に送出することが可能である。
【００３３】
また、着呼時は、相手機から着信したことをＬＡＮ経由でホストＣＰＵ１が認識した場合、ハンドセット４２を鳴動させてユーザに知らせる必要がある。ＳＬＩＣ４１は、ハンドセット４２を鳴動するために必要な所定の信号を生成する機能を備えている。まず始めに、ホストＣＰＵ１は、ハンドセット４２を鳴動させるための指示コマンドを、ハンドシェイク用ＲＡＭ３１を介して変復調部５２に対して送る。これに応答して、変復調部５２はＳＬＩＣ４１に対してハンドセット４２を鳴動するための指示を行う。ユーザが所定のサービスに加入している場合は、相手先番号をハンドセット４２に表示することが必要な場合もある。この場合は、ホストＣＰＵ１は、相手先番号の情報とともに、ハンドセット４２に番号情報を表示させるための指示コマンドを、ハンドシェイク用ＲＡＭ３１を介して変復調部５２に送る。これに応答して、変復調部５２は、モデム信号として番号情報に相当する変調信号を生成した後にデジタル音声データ変換し、デジタル音声データをコーデック回路４０とＳＬＩＣ４１とを介してハンドセット４２に出力する。これにより、ハンドセット４２に相手先番号の情報を表示できる。
【００３４】
以上説明したように、発呼時及び着呼時ともに相手側と、ハンドセット４２どうしが接続互いに接続された後は、一方のハンドセット４２からのアナログ音声信号を、ハンドセット４２と、ＳＬＩＣ４１と、コーデック回路４０と（アナログ音声信号はデジタル音声データに変換される）、ハンドシェイク用ＲＡＭ３４と、ホストＣＰＵ１と、ＬＡＮインタフェース回路７と、ＬＡＮとを介して相手のハンドセット４２に送信して通話を行うことができる。従って、公衆網を経由するファクシミリ通信と、ＩＰ網を経由するファクシミリ通信とを行う従来技術に係るファクシミリモデムにおいて、ハンドセット４２を用いてＩＰ網を経由する通話をさらに行うことができる。
【００３５】
本実施形態において、ＤＡＡユニット２０は脱着可能なユニット化するか実装オプションで変復調部５２に部品を搭載しないことにより、ネットワーク環境しか持たないユーザにはＧ３ファクシミリ通信機能を提供せずファクシミリ装置１０のコストを抑えることができる。なお、ＩＰ網を経由するファクシミリ通信及び通話機能を実現するためには、ＤＡＡユニット２０は不要である。また、通話機能を必要としない場合は、ＳＬＩＣ４１、コーデック回路４０及びハンドセット４２は不要であるため、ＳＬＩＣ４１、コーデック回路４０及びハンドセット４２を着脱可能に設け、又は部品を実装オプションとしておけば、通話機能が不要なユーザにはＳＬＩＣ４１、コーデック回路４０及びハンドセット４２を供給しないことでファクシミリ装置１０のコストを抑えることが可能となる。
【００３６】
以上説明したように、本実施形態によれば、相手装置から着信したとき、相手装置がファクシミリ装置である場合は従来技術と同様の処理を行ない、相手装置が電話機である場合はＳＬＩＣ４１及びコーデック回路４０を使用して通話を行うことができる。
【００３７】
本実施形態に係るファクシミリ装置１０はコーデック回路４０及びＳＬＩＣ４１を備えたので、ＶｏＩＰゲートウエイ装置又はＶｏＩＰデータ化装置などの外付け部品なしに低コストで、公衆網を経由するＧ３ファクシミリ通信及び通話だけでなく、ＩＰ網を経由するファクシミリ通信及び通話を実現できる。また、ＤＡＡユニット２０を着脱可能に設けたので、ユーザのニーズに合わせた構成を取ることができる。具体的には、ＩＰ網を経由する通信のみを行うユーザに対しては、ＤＡＡユニット２０を取り外してファクシミリ装置１０を提供すればよく、これにより、ユーザは、低コストでＩＰ網を経由するファクシミリ通信及び通話を行うことができる。さらに、コーデック回路４０、ＳＬＩＣ４１、及びハンドセット４２を着脱可能に設けたので、ユーザのニーズに合わせた構成を取ることができる。具体的には、通話機能を必要としないユーザに対しては、コーデック回路４０、ＳＬＩＣ４１、及びハンドセット４２を取り外してファクシミリ装置１０を提供すればよく、これにより、ユーザは、低コストでファクシミリ通信を行うことができる。
【００３８】
なお、上記実施形態においてファクシミリモデム３０はファクシミリ装置１０に設けられたが、本発明はこれに限られず、複合機などの通信装置に設けられてもよい。
【符号の説明】
【００３９】
１…ホストＣＰＵ、
２…ＲＯＭ、
３…ＲＡＭ、
４…操作部、
５…読取スキャナ、
６…印刷部、
７…ＬＡＮインタフェース回路、
１０…ファクシミリ装置、
２０…ＤＡＡユニット、
３０…ファクシミリモデム、
３１…ハンドシェイク用ＲＡＭ、
３２…ＤＳＰ、
３３…ＤＡＡインタフェース回路、
３４…ハンドシェイク用ＲＡＭ、
３５…ＤＳＰ用ＲＡＭ、
３６…ＤＳＰ用ＲＯＭ、
３７…コーデックインタフェース回路、
４０…コーデック回路、
４１…ＳＬＩＣ、
４２…ハンドセット、
４３…通話制御装置、
５１…制御部、
５２…変復調部、
５３…コーデック部。
【先行技術文献】
【特許文献】
【００４０】
【特許文献１】特開２００９−１７３８３号公報
【特許文献２】特開２０１２−４６７４号公報
【図１】
2013197799.tif 000003
【図２】
2013197799.tif 000004
【図３】
2013197799.tif 000005